(57)【要約】【課題】光ディスクからの再生信号に最大誤り訂正能力を超える誤りがある場合でも、そのようなデータ誤りを、ＣＰＵに負荷をかけることなく、速やかにかつ正確に訂正することができる光ディスク再生方法を提供する。【解決手段】データの誤りを正しく訂正するための処理のうちＩＤ、ＩＥＤ、ＣＰＲ＿ＭＡＩデータの期待値の生成処理５を、読み取りエラーが発生するまでのＣＰＵが他に処理を行っていない時間を利用して予め実行しておくことにより、光ディスクからの再生信号に最大誤り訂正能力を超える誤りがある場合でも、データの誤りを正しく訂正するためのＩＤ、ＩＥＤ、ＣＰＲ＿ＭＡＩデータの期待値生成５、期待値代入６、および期待値代入後の誤り訂正３の各処理を確実に実行し、それらの処理実行をより短い時間で完了する。【選択図】　　図３
2004146012.tif 000002
【特許請求の範囲】
【請求項１】
光ディスクから読み取ったデータを当該光ディスク規格における変調方式に従って復調する復調手段と、前記復調データに対して、前記光ディスク規格におけるＥＣＣブロック単位での訂正処理を行う誤り訂正手段とを有する光ディスク再生装置において、前記光ディスクからの復調データをそのデータ規格に従って誤り訂正しデータ再生する光ディスク再生方法であって、前記復調手段および前記誤り訂正手段による前記ＥＣＣブロックに対する復調処理および誤り訂正処理中に、前記ＥＣＣブロック内の前記光ディスク規格におけるＩＤ、ＩＥＤ、ＣＰＲ＿ＭＡＩデータの期待値を生成し、前記誤り訂正の結果、訂正不能となった場合に、訂正不能となった前記ＥＣＣブロック内の光ディスク規格に対応する全てのＩＤ、ＩＥＤ、ＣＰＲ＿ＭＡＩデータに対して、各々前記期待値生成処理により生成したＩＤ、ＩＥＤ、ＣＰＲ＿ＭＡＩの期待値を代入した後に、前記誤り訂正を行うことを特徴とする光ディスク再生方法。
【請求項２】
光ディスクから読み取ったデータを当該光ディスク規格における変調方式に従って復調する復調手段と、前記復調データに対して、前記光ディスク規格におけるＥＣＣブロック単位での訂正処理を行う誤り訂正手段とを有する光ディスク再生装置において、前記光ディスクからの復調データをそのデータ規格に従って誤り訂正しデータ再生する光ディスク再生方法であって、前記復調手段による前記ＥＣＣブロックに対する復調処理終了までに、前記ＥＣＣブロック内の前記光ディスク規格におけるＩＤ、ＩＥＤ、ＣＰＲ＿ＭＡＩデータの期待値を生成しておき、前記復調手段による前記ＥＣＣブロックに対する復調処理終了後に、前記光ディスク規格に対応する全てのＩＤ、ＩＥＤ、ＣＰＲ＿ＭＡＩデータに対して、各々前記期待値生成処理により生成したＩＤ、ＩＥＤ、ＣＰＲ＿ＭＡＩの期待値を代入した後に、前記ＥＣＣブロック単位での誤り訂正処理を行うことを特徴とする光ディスク再生方法。
【請求項３】
光ディスクから読み取ったデータを当該光ディスク規格における変調方式に従って復調する復調手段と、前記復調データに対して、前記光ディスク規格におけるＥＣＣブロック単位での訂正処理を行う誤り訂正手段とを有する光ディスク再生装置において、前記光ディスクからの復調データをそのデータ規格に従って誤り訂正しデータ再生する光ディスク再生方法であって、前記復調データに対して、前記誤り訂正を行った結果、訂正不能となった場合に、前記光ディスクからデータを再度読み込んで前記データ復調を行った後に前記誤り訂正を行うリトライ処理中に、前記ＥＣＣブロック内の前記光ディスク規格におけるＩＤ、ＩＥＤ、ＣＰＲ＿ＭＡＩデータの期待値を生成しておき、前記リトライ処理終了後に、前記光ディスク規格に対応する全てのＩＤ、ＩＥＤ、ＣＰＲ＿ＭＡＩデータに対して、各々前記期待値生成処理により生成したＩＤ、ＩＥＤ、ＣＰＲ＿ＭＡＩの期待値を代入した後に、前記ＥＣＣブロック単位での誤り訂正処理を行うことを特徴とする光ディスク再生方法。
【発明の詳細な説明】
【０００１】
【発明の属する技術分野】
本発明は、光ディスクから読み取った復調データをそのデータ規格に従って誤り訂正しデータ再生する光ディスク再生方法に関するものである。
【０００２】
【従来の技術】
従来から、光ディスク再生システムにおいて、光ディスクの再生にあたって、当該光ディスクから読み取った復調データをそのデータ規格に従って誤り訂正し、当該光ディスクからデータを再生する光ディスク再生方法が広く利用されている。
【０００３】
これら光ディスク再生方法としては、現在、例えば、特願２００１−３１６１２２号やその他の公開公報（例えば、特許文献１を参照）に開示されているものがある。このうち、特願２００１−３１６１２２号では、光ディスク規格における最大誤り訂正能力を超える誤りがあると誤りデータを正しく訂正できないため、リトライ処理を行っても、最大訂正能力を超える誤りがある場合はデータの誤りを訂正できずデータが欠落するという問題に対して、光ディスクから読み取ったデータを、その光ディスクにおける変調方式に従って復調した後、あるいは復調データ内の当該光ディスクにおけるＥＣＣブロック単位での誤り訂正によってもデータを正しく訂正できなかった場合に、ＥＣＣブロック内の当該光ディスク規格に対応する全てのＩＤ、ＩＥＤ、ＣＰＲ＿ＭＡＩデータの期待値を生成した後に、それらＩＤ、ＩＥＤ、ＣＰＲ＿ＭＡＩに各対応する期待値を各々代入した上で誤り訂正処理を行うという方法で解決している。
【０００４】
以上のような特願２００１−３１６１２２号における光ディスク再生方法を例に挙げて、従来の光ディスク再生方法を以下に説明する。
図１は従来の光ディスク再生方法によるデータ再生処理手順を示すフローチャートであり、特願２００１−３１６１２２号におけるデータの再生方法を示すフローチャートである。ここでは光ディスク再生システムとして、ＤＶＤの記録データ再生時の、復調データに対する誤り訂正処理によってもデータを正しく訂正できなかった場合に、期待値を生成して代入したあと、再度誤り訂正処理を行う方法について示す。
【０００５】
まず、ＤＶＤからのデータ読み込み処理１にて、ＤＶＤからデータを読み込み、８−１６復調処理２にて、ＤＶＤ規格上における８−１６変調方式に従って読み込んだデータを復調し、誤り訂正処理３にて、ステップ２の８−１６復調処理２で復調されたデータに対して、ＤＶＤ規格上におけるＥＣＣブロック単位でデータの誤り訂正処理を行う。
【０００６】
ステップ３の誤り訂正処理３の結果が訂正不能かどうかの判別処理４で、訂正不能となった場合（ＹＥＳ）、期待値生成処理５にてＤＶＤ規格上における全てのＩＤ、ＩＥＤ、ＣＰＲ＿ＭＡＩデータの期待値を生成し、そのあとに、それらの期待値を、期待値代入処理６にて、復調データ内の対応するＩＤ、ＩＥＤ、ＣＰＲ＿ＭＡＩに各々代入したうえで、誤り訂正処理３にて誤り訂正処理を行っていた。
【０００７】
【特許文献１】
特開平７−１４１７９５号公報
【０００８】
【発明が解決しようとする課題】
しかしながら上記のような従来の特願２００１−３１６１２２号に示される光ディスク再生方法では、ＩＤ、ＩＥＤ、ＣＰＲ＿ＭＡＩの期待値生成処理５を、ステップ２の８−１６復調処理２、あるいはステップ３の誤り訂正処理３の後に行っているため、期待値代入処理６の後の誤り訂正処理３が終了するまでに時間がかかり、データ再生速度が低下するという問題点を有していた。
【０００９】
また、読み取りエラーが発生した後に、ＩＤ、ＩＥＤ、ＣＰＲ＿ＭＡＩの期待値生成処理５、期待値代入処理６、およびその後の誤り訂正処理３を実行するため、それらの実行時には、すでにＣＰＵは稼動中であり、ＣＰＵに大きな負荷がかかるという問題点も有していた。
【００１０】
本発明は、上記従来の問題点を解決するもので、光ディスクからの再生信号に最大誤り訂正能力を超える誤りがある場合でも、そのようなデータ誤りを、ＣＰＵへの負荷を低減しつつ、より速やかに正確かつ十分に訂正することができ、最終的な再生データでの欠落を確実に防止することができる光ディスク再生方法を提供する。
【００１１】
【課題を解決するための手段】
上記の課題を解決するために本発明の光ディスク再生方法は、光ディスクから読み取ったデータを当該光ディスク規格における変調方式に従って復調する復調手段と、前記復調データに対して、前記光ディスク規格におけるＥＣＣブロック単位での訂正処理を行う誤り訂正手段とを有する光ディスク再生装置において、前記光ディスクからの復調データをそのデータ規格に従って誤り訂正しデータ再生する光ディスク再生方法であって、前記復調手段および前記誤り訂正手段による前記ＥＣＣブロックに対する復調処理および誤り訂正処理中に、前記ＥＣＣブロック内の前記光ディスク規格におけるＩＤ、ＩＥＤ、ＣＰＲ＿ＭＡＩデータの期待値を生成し、前記誤り訂正の結果、訂正不能となった場合に、訂正不能となった前記ＥＣＣブロック内の光ディスク規格に対応する全てのＩＤ、ＩＥＤ、ＣＰＲ＿ＭＡＩデータに対して、各々前記期待値生成処理により生成したＩＤ、ＩＥＤ、ＣＰＲ＿ＭＡＩの期待値を代入した後に、前記誤り訂正を行う方法としたことを特徴とする。
【００１２】
以上により、データの誤りを正しく訂正するための処理のうちＩＤ、ＩＥＤ、ＣＰＲ＿ＭＡＩデータの期待値の生成処理を、読み取りエラーが発生するまでのＣＰＵが他に処理を行っていない時間を利用して予め実行しておくことにより、光ディスクからの再生信号に最大誤り訂正能力を超える誤りがある場合でも、データの誤りを正しく訂正するためのＩＤ、ＩＥＤ、ＣＰＲ＿ＭＡＩデータの期待値生成、期待値代入、および期待値代入後の誤り訂正の各処理を確実に実行し、それらの処理実行をより短い時間で完了することができる。
【００１３】
【発明の実施の形態】
本発明の請求項１に記載の光ディスク再生方法は、光ディスクから読み取ったデータを当該光ディスク規格における変調方式に従って復調する復調手段と、前記復調データに対して、前記光ディスク規格におけるＥＣＣブロック単位での訂正処理を行う誤り訂正手段とを有する光ディスク再生装置において、前記光ディスクからの復調データをそのデータ規格に従って誤り訂正しデータ再生する光ディスク再生方法であって、前記復調手段および前記誤り訂正手段による前記ＥＣＣブロックに対する復調処理および誤り訂正処理中に、前記ＥＣＣブロック内の前記光ディスク規格におけるＩＤ、ＩＥＤ、ＣＰＲ＿ＭＡＩデータの期待値を生成し、前記誤り訂正の結果、訂正不能となった場合に、訂正不能となった前記ＥＣＣブロック内の光ディスク規格に対応する全てのＩＤ、ＩＥＤ、ＣＰＲ＿ＭＡＩデータに対して、各々前記期待値生成処理により生成したＩＤ、ＩＥＤ、ＣＰＲ＿ＭＡＩの期待値を代入した後に、前記誤り訂正を行う方法とする。
【００１４】
この方法によると、光ディスクからの読み出しデータへの復調処理中、および復調データへの誤り訂正処理中のように、ＣＰＵの処理が比較的軽い時間を利用して期待値を生成することにより、ＣＰＵの負荷を軽減するとともに、誤り訂正処理の終了までに期待値を生成しておくことにより、訂正不能となった場合に実行する期待値代入処理、および誤り訂正処理を速やかに行うことを可能とし、再生速度を向上することができる。
【００１５】
請求項２に記載の光ディスク再生方法は、光ディスクから読み取ったデータを当該光ディスク規格における変調方式に従って復調する復調手段と、前記復調データに対して、前記光ディスク規格におけるＥＣＣブロック単位での訂正処理を行う誤り訂正手段とを有する光ディスク再生装置において、前記光ディスクからの復調データをそのデータ規格に従って誤り訂正しデータ再生する光ディスク再生方法であって、前記復調手段による前記ＥＣＣブロックに対する復調処理終了までに、前記ＥＣＣブロック内の前記光ディスク規格におけるＩＤ、ＩＥＤ、ＣＰＲ＿ＭＡＩデータの期待値を生成しておき、前記復調手段による前記ＥＣＣブロックに対する復調処理終了後に、前記光ディスク規格に対応する全てのＩＤ、ＩＥＤ、ＣＰＲ＿ＭＡＩデータに対して、各々前記期待値生成処理により生成したＩＤ、ＩＥＤ、ＣＰＲ＿ＭＡＩの期待値を代入した後に、前記ＥＣＣブロック単位での誤り訂正処理を行う方法とする。
【００１６】
この方法によると、光ディスクからの読み出しデータへの復調処理中、および復調データへの誤り訂正処理中のように、ＣＰＵの処理が比較的軽い時間を利用して期待値を生成することにより、ＣＰＵの負荷を軽減するとともに、誤り訂正処理を行う前に期待値の代入を行うので、本来は訂正不能となる場合でも、１回でデータの誤りを訂正することができる。
【００１７】
請求項３に記載の光ディスク再生方法は、光ディスクから読み取ったデータを当該光ディスク規格における変調方式に従って復調する復調手段と、前記復調データに対して、前記光ディスク規格におけるＥＣＣブロック単位での訂正処理を行う誤り訂正手段とを有する光ディスク再生装置において、前記光ディスクからの復調データをそのデータ規格に従って誤り訂正しデータ再生する光ディスク再生方法であって、前記復調データに対して、前記誤り訂正を行った結果、訂正不能となった場合に、前記光ディスクからデータを再度読み込んで前記データ復調を行った後に前記誤り訂正を行うリトライ処理中に、前記ＥＣＣブロック内の前記光ディスク規格におけるＩＤ、ＩＥＤ、ＣＰＲ＿ＭＡＩデータの期待値を生成しておき、前記リトライ処理終了後に、前記光ディスク規格に対応する全てのＩＤ、ＩＥＤ、ＣＰＲ＿ＭＡＩデータに対して、各々前記期待値生成処理により生成したＩＤ、ＩＥＤ、ＣＰＲ＿ＭＡＩの期待値を代入した後に、前記ＥＣＣブロック単位での誤り訂正処理を行う方法とする。
【００１８】
この方法によると、一般的には、リトライ処理では光ディスク上の目的位置へのシーク処理が発生し、このシーク処理は期待値生成処理を行うのに十分な時間がかかるが、リトライ処理でのデータ再読み込み中のように、ＣＰＵの処理が比較的軽い時間を利用して期待値を生成するとともに、訂正不能時のみ期待値生成を行うことにより、さらにＣＰＵの負荷を軽減することができる。
【００１９】
以下、本発明の実施の形態を示す光ディスク再生方法について、図面を参照しながら具体的に説明する。
（実施の形態１）
本発明の実施の形態１の光ディスク再生方法を説明する。
【００２０】
図２は本実施の形態の光ディスク再生方法に適用される光ディスク再生装置の一構成例を示すブロック概念図である。図２に示すように、この光ディスク再生装置において、復調手段８は、ディスクからの読み出しデータ７をＤＶＤにおける８−１６変調方式に従って復調し、復調後データ９をデータ格納手段１０に格納し、その際には、ＤＶＤにおける１ＥＣＣブロック分のデータを格納するごとに、データ格納通知１１をＣＰＵ１２に行う。
【００２１】
ＣＰＵ１２は、データ格納通知１１を通知されると、データ格納手段１０内に格納されている復調後データに対して、誤り訂正手段１３による誤り訂正処理３を開始させる。誤り訂正手段１３は、誤り訂正処理終了後、誤り訂正結果通知１４をＣＰＵ１２に行う。
【００２２】
図３は本実施の形態１の光ディスク再生方法によるデータ再生処理手順を示すフローチャートである。この光ディスク再生方法においては、ＤＶＤからの読み出しデータの復調処理１５にて、復調手段８によるディスクからの読み出しデータ７の復調処理と、復調後データ９のデータ格納手段１０へのデータ格納処理とを開始した後、期待値生成処理５にて、現在読み込み中のＥＣＣブロック内におけるＤＶＤ規格上の全てのＩＤ、ＩＥＤ、ＣＰＲ＿ＭＡＩデータの期待値を生成する。
【００２３】
１ＥＣＣブロック分のデータの復調が完了したかどうかの判別処理１６にて完了した（ＹＥＳ）となった場合、誤り訂正処理３にて、誤り訂正処理手段１３によるデータ格納手段１０内の復調後データに対するＥＣＣブロック単位の誤り訂正処理を開始する。
【００２４】
その後、訂正不能かどうかの判別処理４にて訂正不能（ＹＥＳ）となった場合には、生成した期待値を期待値代入処理６にて、データ格納手段１０内の訂正不能となったＥＣＣブロック内の対応するＩＤ、ＩＥＤ、ＣＰＲ＿ＭＡＩに、各々代入したうえで、再度、誤り訂正処理３にて、誤り訂正手段１３による誤り訂正を行う。
【００２５】
図４は本実施の形態１の光ディスク再生方法による処理時間を従来技術と対比するためのタイムチャートであり、従来（特願２００１−３１６１２２号）と実施の形態１の光ディスク再生方法における処理時間の比較図である。図４に示すように、本実施の形態１によって、読み取りエラー発生後の処理時間を短縮することができる。
【００２６】
以上のようにして、誤り訂正処理終了までのＣＰＵの処理負荷が比較的軽い時に予めＩＤ、ＩＥＤ、ＣＰＲ＿ＭＡＩの期待値を生成しておくことにより、誤り訂正の結果、訂正不能となった場合には、速やかに上記期待値の代入を行うことができ、期待値を代入することによって誤り個数が最大誤り訂正能力の範囲内になれば、再度誤り訂正処理を行うことによってデータの誤りを正しく訂正することができる。
（実施の形態２）
本発明の実施の形態２の光ディスク再生方法を説明する。
【００２７】
図５は本実施の形態２の光ディスク再生方法によるデータ再生処理手順を示すフローチャートである。この光ディスク再生方法においては、期待値生成処理５にて、読み込みを開始するデータの先頭のＥＣＣブロック内におけるＤＶＤ規格上の全てのＩＤ、ＩＥＤ、ＣＰＲ＿ＭＡＩデータの期待値を生成した後、ＤＶＤからの読み出しデータの復調処理１５にて、復調手段８によるディスクからの読み出しデータ７の復調処理と、復調後データ９のデータ格納手段１０へのデータ格納処理を開始する。
【００２８】
１ＥＣＣブロック分のデータの復調が完了したかどうかの判別処理１６にて完了した（ＹＥＳ）となった場合、上記で生成した期待値を、期待値代入処理６にて、データ格納手段１０内のＥＣＣブロック内における対応するＩＤ、ＩＥＤ、ＣＰＲ＿ＭＡＩに各々代入したうえで、誤り訂正処理３にて、誤り訂正処理手段１３によるデータ格納手段１０内の復調後データに対するＥＣＣブロック単位の誤り訂正処理を開始するとともに、期待値生成処理５にて、次に読み込むＥＣＣブロック内における全てのＩＤ、ＩＥＤ、ＣＰＲ＿ＭＡＩデータの期待値生成を開始する。
【００２９】
その後、訂正不能かどうかの判別処理４にて、正しく訂正できた（ＮＯ）と判別した場合、次のＥＣＣブロック分のデータ復調完了待ちとなる。
以上のようにして、復調処理終了後の誤り訂正処理の前に、期待値の代入を行うことにより、誤り個数が最大誤り訂正能力の範囲内に減少させたあとに誤り訂正処理を行い、それにより、上記よりも早く正しいデータ再生を行うことができる。
（実施の形態３）
本発明の実施の形態３の光ディスク再生方法を説明する。
【００３０】
図６は本実施の形態３の光ディスク再生方法によるデータ再生処理手順を示すフローチャートである。この光ディスク再生方法においては、ＤＶＤからの読み出しデータの復調処理１５にて、復調手段８によるディスクからの読み出しデータ７の復調処理と、復調後データ９のデータ格納手段１０へのデータ格納を行い、１ＥＣＣブロック分のデータの復調が完了したかどうかの判別処理１６にて、完了した（ＹＥＳ）となった場合、誤り訂正処理３にて、誤り訂正処理手段１３によるデータ格納手段１０内の復調後データに対するＥＣＣブロック単位の誤り訂正処理を開始する。
【００３１】
その後、訂正不能かどうかの判別処理４にて訂正不能（ＹＥＳ）となった場合、ＤＶＤからの読み出しデータの復調処理１５にて、訂正不能となったデータの再読み出しおよび復調を開始するとともに、期待値生成処理５にて、現在読み込み中のＥＣＣブロック内におけるＤＶＤ規格上の全てのＩＤ、ＩＥＤ、ＣＰＲ＿ＭＡＩデータの期待値を生成する。
【００３２】
１ＥＣＣブロック分のデータの復調が完了したかどうかの判別処理１６にて完了した（ＹＥＳ）となった場合、誤り訂正処理３にて、誤り訂正処理手段１３によるデータ格納手段１０内の復調後データに対するＥＣＣブロック単位の誤り訂正処理を開始する。
【００３３】
その後、訂正不能かどうかの判別処理４にて訂正不能（ＹＥＳ）となった場合、上記で生成した期待値を期待値代入処理６にて、データ格納手段１０内の訂正不能となったＥＣＣブロック内の対応するＩＤ、ＩＥＤ、ＣＰＲ＿ＭＡＩに各々代入したうえで、再度、誤り訂正処理３にて、誤り訂正手段１３による誤り訂正を行う。
【００３４】
以上のようにして、シーク時間を利用して期待値の生成を行うことと、訂正不能後のリトライ処理中にのみ期待値の生成を行うことにより、上記よりもＣＰＵの負担を軽減することができる。
（実施の形態４）
本発明の実施の形態４の光ディスク再生方法を説明する。
【００３５】
図７は本発明の実施の形態４の光ディスク再生方法によるデータ再生処理手順を示すフローチャートである。この光ディスク再生方法においては、ＤＶＤからの読み出しデータの復調処理１５にて、復調手段８によるディスクからの読み出しデータ７の復調処理と、復調後データ９のデータ格納手段１０へのデータ格納処理を行い、１ＥＣＣブロック分のデータの復調が完了したかどうかの判別処理１６にて、完了した（ＹＥＳ）となった場合、誤り訂正処理３にて、誤り訂正処理手段１３によるデータ格納手段１０内の復調後データに対するＥＣＣブロック単位の誤り訂正処理を開始する。
【００３６】
その後、訂正不能かどうかの判別処理４にて、訂正不能（ＹＥＳ）となった場合、ＤＶＤからの読み出しデータの復調処理１５にて、訂正不能となったデータの再読み出しおよび復調を開始するとともに、期待値生成処理５にて、現在読み込み中のＥＣＣブロック内におけるＤＶＤ規格上の全てのＩＤ、ＩＥＤ、ＣＰＲ＿ＭＡＩデータの期待値を生成する。
【００３７】
１ＥＣＣブロック分のデータの復調が完了したかどうかの判別処理１６にて、完了した（ＹＥＳ）となった場合、上記で生成した期待値を期待値代入処理６にて、データ格納手段１０内の復調後データに対するＥＣＣブロック内の対応するＩＤ、ＩＥＤ、ＣＰＲ＿ＭＡＩに各々代入したうえで、誤り訂正処理３にて、誤り訂正処理手段１３によるデータ格納手段１０内の復調後データに対するＥＣＣブロック単位の誤り訂正処理を開始する。
【００３８】
以上のようにして、訂正不能後のリトライ処理でのシーク時間を利用して期待値の生成を行うとともに、復調処理終了後の誤り訂正処理の前に、期待値の代入を行うため、誤り個数が最大誤り訂正能力の範囲内に減少させたあとに誤り訂正処理を行うことができ、上記よりも早く正しいデータ再生を行うことができる。
【００３９】
【発明の効果】
以上のように本発明によれば、光ディスクからの読み出しデータへの復調処理中、および復調データへの誤り訂正処理中のように、ＣＰＵの処理が比較的軽い時間を利用して期待値を生成することにより、ＣＰＵの負荷を軽減するとともに、誤り訂正処理の終了までに期待値を生成しておくことにより、訂正不能となった場合に実行する期待値代入処理、および誤り訂正処理を速やかに行うことを可能とし、再生速度を向上することができる。
【００４０】
また、光ディスクからの読み出しデータへの復調処理中、および復調データへの誤り訂正処理中のように、ＣＰＵの処理が比較的軽い時間を利用して期待値を生成することにより、ＣＰＵの負荷を軽減するとともに、誤り訂正処理を行う前に期待値の代入を行うので、本来は訂正不能となる場合でも、１回でデータの誤りを訂正することができる。
【００４１】
また、一般的には、リトライ処理では光ディスク上の目的位置へのシーク処理が発生し、このシーク処理は期待値生成処理を行うのに十分な時間がかかるが、リトライ処理でのデータ再読み込み中のように、ＣＰＵの処理が比較的軽い時間を利用して期待値を生成するとともに、訂正不能時のみ期待値生成を行うことにより、さらにＣＰＵの負荷を軽減することができる。
【００４２】
以上のため、光ディスクからの再生信号に最大誤り訂正能力を超える誤りがある場合でも、そのようなデータ誤りを、ＣＰＵへの負荷を低減しつつ、より速やかに正確かつ十分に訂正することができ、最終的な再生データでの欠落を確実に防止することができる。
【図面の簡単な説明】
【図１】従来の光ディスク再生方法によるデータ再生処理手順を示すフローチャート
【図２】本発明の実施の形態の光ディスク再生方法に適用される光ディスク再生装置の一構成例を示すブロック概念図
【図３】本発明の実施の形態１の光ディスク再生方法によるデータ再生処理手順を示すフローチャート
【図４】同実施の形態１の光ディスク再生方法による処理時間を従来技術と対比するためのタイムチャート
【図５】本発明の実施の形態２の光ディスク再生方法によるデータ再生処理手順を示すフローチャート
【図６】本発明の実施の形態３の光ディスク再生方法によるデータ再生処理手順を示すフローチャート
【図７】本発明の実施の形態４の光ディスク再生方法によるデータ再生処理手順を示すフローチャート
【符号の説明】
１　　ＤＶＤからのデータ読み込み処理
２　　８−１６復調処理
３　　誤り訂正処理
４　　訂正不能かの判別処理
５　　期待値生成処理
６　　期待値代入処理
７　　ＤＶＤからの読み出しデータ
８　　復調手段
９　　復調後データ
１０　　データ格納手段
１１　　データ格納通知処理
１２　　ＣＰＵ
１３　　誤り訂正手段
１４　　誤り訂正結果通知処理
１５　　ＤＶＤからの読み出しデータの復調処理
１６　　復調完了したかの判別処理
【図１】
2004146012.tif 000003
【図２】
2004146012.tif 000004
【図３】
2004146012.tif 000005
【図４】
2004146012.tif 000006
【図５】
2004146012.tif 000007
【図６】
2004146012.tif 000008
【図７】
2004146012.tif 000009